(57)【特許請求の範囲】
【請求項１】
埋込部と露出部を有する埋込部材を、コンクリート製品の型枠に対して、埋込部が型枠内に位置し、露出部が型枠にあけた孔から外へ出るように固定する埋込部材の固定装置であって、
前記露出部に係合する係合治具と、
前記係合治具を引き下げる引下げ部と、
を備え、
前記係合治具は、前記露出部に形成された被係合部の上方に略水平に挿入されて係合する係合部を備え、
前記係合部の先端には前記被係合部に係合する下向きの係止爪が設けられ、
前記係合部と前記被係合部とが係合したときに、前記係合部の下面が前記被係合部の上面と当接するとともに、前記係止爪が前記被係合部の端縁に掛止することを特徴とする、埋込部材の固定装置。
【請求項２】
前記係合部の下面は、先端側が高くなるように傾斜していることを特徴とする、請求項１記載の埋込部材の固定装置。
【請求項３】
前記係合治具は、前記係合部を２つ備えており、この２つの前記係合部の間には、前記引下げ部を接続するための接続部が設けられていることを特徴とする、請求項１又は２記載の埋込部材の固定装置。
【発明の詳細な説明】
【技術分野】
【０００１】
この発明は、埋込部材を埋込したコンクリート製品を製造する際に使用するものであって、埋込部と露出部を有する埋込部材を、コンクリート製品の型枠に対して、埋込部が型枠内に位置し、露出部が型枠にあけた孔から外へ出るように固定する埋込部材の固定装置に関する。
【背景技術】
【０００２】
埋込部材を埋込したコンクリート製品を製造する際に、コンクリート製品の型枠とは別に治具を使用して埋込部を固定し、埋込部を固定した状態でコンクリートを打設することで、所望の位置に埋込部を埋込したコンクリート製品を得る方法が知られている。
この種の埋込部材の固定装置として、本出願人は例えば特許文献１や特許文献２に示すような構造を提案した。
【０００３】
このうち、特許文献１記載の構造は、埋込部材の露出部を一対の挟み片で挟み込む係止部材と、係止部材の下方に固定される引下げ部材と、を備えたものである。このような構成によれば、少ない部品で簡単安価に埋込部材の固定装置を製作することができ、埋込部材の型枠への固定も均一かつ確実に行うことができる。
【先行技術文献】
【特許文献】
【０００４】
【特許文献１】特開２０１０−１１５９０６号公報
【特許文献２】特開２０１１−１６８０１８号公報
【発明の概要】
【発明が解決しようとする課題】
【０００５】
ところで、上記した特許文献１記載の構造は、一対の挟み片をボルトナットによって互いに固定しているため、ボルトナットの締め込み作業が発生していた。
【０００６】
そこで、本発明は、ボルトナットの締め込み作業をしなくても埋込部材に取り付けることができ、作業性を向上させた埋込部材の固定装置を提供することを課題とする。
【課題を解決するための手段】
【０００７】
本発明は、上記した課題を解決するためになされたものであり、以下を特徴とする。
【０００８】
請求項１記載の発明は、埋込部と露出部を有する埋込部材を、コンクリート製品の型枠に対して、埋込部が型枠内に位置し、露出部が型枠にあけた孔から外へ出るように固定する埋込部材の固定装置であって、前記露出部に係合する係合治具と、前記係合治具を引き下げる引下げ部と、を備え、前記係合治具は、前記露出部に形成された被係合部の上方に略水平に挿入されて係合する係合部を備え、前記係合部の先端には前記被係合部に係合する下向きの係止爪が設けられ、前記係合部と前記被係合部とが係合したときに、前記係合部の下面が前記被係合部の上面と当接するとともに、前記係止爪が前記被係合部の端縁に掛止することを特徴とする。
【０００９】
請求項２に記載の発明は、上記した請求項１に記載の発明の特徴点に加え、前記係合部の下面は、先端側が高くなるように傾斜していることを特徴とする。
【００１０】
請求項３に記載の発明は、上記した請求項１又は２に記載の発明の特徴点に加え、前記係合治具は、前記係合部を２つ備えており、この２つの前記係合部の間には、前記引下げ部を接続するための接続部が設けられていることを特徴とする。
【発明の効果】
【００１１】
請求項１に記載の発明は上記の通りであり、係合治具は、埋込部材の露出部に形成された被係合部の上方に略水平に挿入されて係合する係合部を備え、前記係合部の先端には前記被係合部に係合する係止爪が設けられ、前記係合部と前記被係合部とが係合したときに、前記係合部の下面が前記被係合部の上面と当接するとともに、前記係止爪が前記被係合部の端縁に掛止するように形成されている。よって、係合治具の係合部を被係合部の上方に挿入し、係止爪を引っ掛けるだけで、係合治具を埋込部材に取り付けることできるので、ボルトナットの締め込み作業などが必要なく、作業性が良い。また、係合治具は埋込部材に引っ掛けているだけなので、取り外しも容易である。
【００１２】
また、請求項２に記載の発明は上記の通りであり、前記係合部の下面は、先端側が高くなるように傾斜しているため、係止爪の内側が逆Ｖ字形となっており、この逆Ｖ字形の部分で確実に被係合部を係合させることができる。
【００１３】
また、請求項３に記載の発明は上記の通りであり、前記係合治具は、前記係合部を２つ備えており、この２つの前記係合部の間には、前記引下げ部を接続するための接続部が設けられているので、埋込部材に対して均等に引き下げる力を加えることができる。すなわち、偏荷重がかからず、まっすぐ下方に埋込部材を引き下げることができる。
【図面の簡単な説明】
【００１４】
【図１】埋込部材の固定装置を正面から見た外観図である。
【図２】埋込部材の固定装置を側面から見た外観図である。
【図３】係合板の（ａ）平面図、（ｂ）正面図、（ｃ）側面図、（ｄ）Ａ−Ａ線断面図である。
【図４】埋込部材に係合治具を係合させる様子を示す説明図である。
【図５】引下げ部を説明する図であって、（ａ）挟圧バネの平面図、（ｂ）挟圧バネで係合治具の取付軸を挟み込んだ状態の図である。
【発明を実施するための形態】
【００１５】
本発明の実施形態について、図を参照しながら説明する。
本実施形態に係る埋込部材３０の固定装置１０は、コンクリート製品へ埋込する埋込部材３０を型枠４０に固定するものである。例えば、コンクリート製枕木や軌道スラブなどのコンクリート製品を製造する際に、レールを固定するためのショルダー部材を埋設するために使用される。
【００１６】
本実施形態で使用する埋込部材３０は、コンクリート製品へ埋込される埋込部３１と、コンクリート製品から外方に突出する露出部３２と、を有している。本実施形態に係る埋込部材３０の固定装置１０は、埋込部３１が型枠４０内に位置し、露出部３２が型枠４０にあけた孔４０ａから外へ出るように、埋込部材３０を型枠４０に対して固定する。このように埋込部材３０を型枠４０に対して固定した状態でコンクリートを型枠４０内に流し込んでコンクリート製品を製造することで、埋込部材３０を埋込したコンクリート製品を得ることができる。
【００１７】
埋込部材３０の露出部３２は、図１及び図２に示すように、側方に張り出し形成された２つの被係合部３３と、この２つの被係合部３３の間に形成された中央凹部３４と、中央凹部３４の両側に設けられた突出壁３５と、を備えている。
【００１８】
上記した埋込部材３０を固定する固定装置１０は、埋込部材３０の露出部３２に係合する係合治具１１と、この係合治具１１を引き下げる引下げ部２１と、を備えている。
【００１９】
係合治具１１は、係合板１２の下方に取付軸２０を取り付けて形成されている。
【００２０】
係合板１２は、図３に示すように、両側に設けられた２つの係合部１３と、２つの係合部１３の間に設けられた接続部１５と、係合部１３と接続部１５との間に形成されたスリット１７と、を備えている。
【００２１】
係合部１３は、上記した被係合部３３の上方に略水平に挿入されて係合する部分であり、この係合部１３の先端には、被係合部３３に係合する下向きの係止爪１４が設けられている。また、この係合部１３の下面は、先端側が高くなるように傾斜しており、係止爪１４の内側に逆Ｖ字形を形成している。この係合部１３の傾斜は、被係合部３３の上面の傾斜とほぼ同じ角度となっており、係合部１３と被係合部３３とを係合させたときに、係合板１２が水平となるように（後述する取付軸２０の軸が鉛直となるように）設定されている。
【００２２】
接続部１５は、取付軸２０を取り付けるための部分であり、取付軸２０を取り付けるための取付孔１６を備えている。この取付孔１６に対して取付軸２０を挿入固定することで、係合板１２と取付軸２０とが一体的に結合される。
【００２３】
スリット１７は、係合部１３と被係合部３３とを係合させるときに、埋込部材３０の突出壁３５に係合板１２が干渉しないように逃がすためのものである。言い換えると、図１に示すように、係合部１３と被係合部３３とを係合させたときに、このスリット１７に埋込部材３０の突出壁３５が入り込むようになっている。
【００２４】
取付軸２０は、下端部にテーパ状の膨頭２０ａを形成した棒状部材であり、上端部が前記した取付孔１６に挿入されて係合板１２に固定されている。取付軸２０先端の膨頭２０ａは、後述する引下げ部２１の挟圧バネ２４によって挟圧されることで下方に引き下げられるように、下方に行くに従って径が大きくなるようなテーパ形状で形成されている。
【００２５】
この係合治具１１を埋込部材３０の露出部３２に取り付ける際には、図４に示すように、埋込部材３０の後方から係合治具１１を挿入して引っ掛ければよい。すなわち、露出部３２に形成された被係合部３３の上方に、係合治具１１の係合部１３を略水平に挿入すればよい。係合部１３は、接続部１５の先端が中央凹部３４の内側に突き当たる位置まで挿入することができる。このように係合部１３を奥まで挿入することで、係合部１３と被係合部３３とを係合させることができる。係合部１３と被係合部３３とが係合すると、図４（ｂ）に示すように、係合部１３の下面が被係合部３３の上面と当接するとともに、係止爪１４が被係合部３３の端縁に掛止するので、係合治具１１と埋込部材３０とを確実に係合させることができる。
【００２６】
なお、接続部１５の先端が中央凹部３４の内側に突き当たる位置まで係合部１３を挿入したときに、埋込部材３０の突出壁３５が係合板１２のスリット１７に入り込むが、スリット１７は、突出壁３５の先端が当たらない程度に深く形成されている。このように、突出壁３５がスリット１７の奥に当接しないように遊びが設けてあるので、係合治具１１や埋込部材３０に無理な負荷がかからないようになっている。
【００２７】
上記のように係合治具１１を埋込部材３０の露出部３２に取り付けた後に、埋込部材３０の埋込部３１を型枠４０の孔４０ａに落とし込む。このとき、埋込部材３０は、下り止め部３６とストッパー３７とによって下がり過ぎないように支持される。下り止め部３６は埋込部材３０に取り付けられた樹脂製の部材であり、埋込部３１と露出部３２との境目にフランジを形成している。この下り止め部３６が、図１及び図２に示すように、型枠４０の孔４０ａの周縁部に係合し、埋込部材３０が下がり過ぎないように支持する。また、ストッパー３７は、図２に示すような断面Ｌ字形の長尺材である。このストッパー３７の内側に埋込部材３０の被係合部３３の後端部を突き当てることで、埋込部材３０が下がり過ぎないようになっている。なお、ストッパー３７を可動式とし、ストッパー３７によって埋込部材３０を前方（図２における左方向）に押し付けることで、埋込部材３０の位置を決めるようにしてもよい。
【００２８】
このように係合治具１１を取り付けた埋込部材３０を、型枠４０の孔４０ａに落とし込んだら、次に、係合治具１１の取付軸２０を引下げ部２１によって引き下げることで、埋込部材３０を型枠４０に対して固定することができる。
【００２９】
引下げ部２１は、図１及び図２に示すように、型枠４０の下方に配置され、型枠４０の孔４０ａに臨むように窓孔２１ａを備えている。この引下げ部２１は、長手方向（図１における左右方向）に進退可能に形成されており、この進退動作によって型枠４０への埋込部材３０の固定及び解除を行うようになっている。
【００３０】
具体的には、引下げ部２１の内部には、挟圧バネ２４を支持するためのバネ支持部２２が固定されており、引下げ部２１が進退動作したときに、挟圧バネ２４が係合治具１１の取付軸２０に係合又は係合解除するようになっている。
【００３１】
挟圧バネ２４は、１本のばね用線材を曲げ加工して形成されており、図５（ａ）に示すように、相互の間隔が取付軸２０の膨頭２０ａの大径部よりも広い状態から、膨頭２０ａを挟む程度まで漸減する導入部２４ａと、膨頭２０ａに必要な挟圧力を加える間隔で形成された挟圧部２４ｂと、両側の挟圧部２４ｂを接合する逆Ｃ字形をなす接合部２４ｃと、上記導入部２４ａの先端部を外側へ曲げて形成した取付部２４ｄと、を有するように形成される。
【００３２】
また、バネ支持部２２には、進退方向に延びる支持溝２２ａが形成されており、この支持溝２２ａ内には、挟圧バネ２４の取付部２４ｄを挿入するための嵌合孔（図示せず）が穿設されている。
【００３３】
挟圧バネ２４は、バネ支持部２２の支持溝２２ａに嵌入されるとともに、取付部２４ｄが嵌合孔に挿入されることで、バネ支持部２２によって引下げ部２１の内部で支持される。
この引下げ部２１は、以下のように作用する。
【００３４】
すなわち、まず、取付軸２０のテーパー状の膨頭２０ａを、型枠４０の孔４０ａの下方へ突出させると、膨頭２０ａは挟圧バネ２４の導入部２４ａの間に位置するようになっている。この状態で引下げ部２１を移動させると、図５に示すように、挟圧バネ２４の挟圧部２４ｂで膨頭２０ａを挟圧することができる。このような操作により、テーパー状の膨頭２０ａは、この挟圧力で押し下げ力を加えられ、取付軸２０を介して埋込部材３０を引き下げる力が働くため、埋込部材３０が型枠４０の底部へ強く押し付けられる。このため、埋込部材３０は、外力が作用しても動かないように型枠４０の底部へ固定される。
【００３５】
そして、このように埋込部材３０を固定した状態でコンクリートを打設してコンクリート製品を成形したら、引下げ部２１を先ほどとは逆方向に移動させる。これにより、挟圧バネ２４による膨頭２０ａの挟圧が解除されるので、埋込部材３０の固定が解除され、コンクリート製品をスムーズに脱形することができる。
【００３６】
なお、引下げ部２１を進退させる手段については特に説明していないが、例えば特許文献２に記載したような各種の往復運動機構を使用することができる。たとえば、安価で容易に人力操作できるねじ式のものとしてもよいし、アクチュエータを使用したものとしてもよい。
【００３７】
また、引下げ部２１の構造としても、上記したような形態にかぎらず、係合治具１１を引き下げることができるものであればどのような構造であってもよい。例えば、引下げ部２１が上下に移動するようなものでもよいし、引下げ部２１の重みによって係合治具１１を引き下げるようなものでもよい。
【００３８】
以上説明したように、本実施形態によれば、係合治具１１は、埋込部材３０の露出部３２に形成された被係合部３３の上方に略水平に挿入されて係合する係合部１３を備え、前記係合部１３の先端には前記被係合部３３に係合する係止爪１４が設けられ、前記係合部１３と前記被係合部３３とが係合したときに、前記係合部１３の下面が前記被係合部３３の上面と当接するとともに、前記係止爪１４が前記被係合部３３の端縁に掛止するように形成されている。よって、係合治具１１の係合部１３を被係合部３３の上方に挿入し、係止爪１４を引っ掛けるだけで、係合治具１１を埋込部材３０に取り付けることできるので、ボルトナットの締め込み作業などが必要なく、作業性が良い。また、係合治具１１は埋込部材３０に引っ掛けているだけなので、取り外しも容易である。
【００３９】
また、前記係合部１３の下面は、先端側が高くなるように傾斜しているため、係止爪１４の内側が逆Ｖ字形となっており、この逆Ｖ字形の部分で確実に被係合部３３を係合させることができる。
【００４０】
また、前記係合治具１１は、前記係合部１３を２つ備えており、この２つの前記係合部１３の間には、前記引下げ部２１を接続するための接続部１５が設けられているので、埋込部材３０に対して均等に引き下げる力を加えることができる。すなわち、偏荷重がかからず、まっすぐ下方に埋込部材３０を引き下げることができる。
【符号の説明】
【００４１】
１０  固定装置
１１  係合治具
１２  係合板
１３  係合部
１４  係止爪
１５  接続部
１６  取付孔
１７  スリット
２０  取付軸
２０ａ  膨頭
２１  引下げ部
２１ａ  窓孔
２２  バネ支持部
２２ａ  支持溝
２４  挟圧バネ
２４ａ  導入部
２４ｂ  挟圧部
２４ｃ  接合部
２４ｄ  取付部
３０  埋込部材
３１  埋込部
３２  露出部
３３  被係合部
３４  中央凹部
３５  突出壁
３６  下り止め部
３７  ストッパー
４０  型枠
４０ａ  孔
【図１】
0006400968.tif 000002
【図２】
0006400968.tif 000003
【図３】
0006400968.tif 000004
【図４】
0006400968.tif 000005
【図５】
0006400968.tif 000006